(57)【要約】【課題】  災害に見舞われた際に、圧縮状態を解除して使用するタオルなどの非常用圧縮セットを提供する。【解決手段】  細長い矩形状に折畳んだタオル層１１上に、タオル層１１と略同寸法に折畳んだ布層１２を重ね、一対の軍手層１３を、布層１２の中央部に重ねて矩形ブロック１０ａとし、その両端を軍手層１３側に折曲げ、仮想中立面Ｓを挟んで両端を突き合わせ直方体ブロック１０ｂとする。直方体ブロック１０ｂの短辺両端を仮想中立面Ｓに向かって変位させて立体ブロック１０ｃとし、それを圧縮固化して固化ブロック１０ｄとする。固化ブロック１０ｄの幅広面に略同一寸法に折り重ねた巾着袋１４を配置して圧縮セット本体１０ｅを形成し、それを透明シート袋１５に挿入し、透明シート袋１５の透明ポケット１６に、重要事項を記載した連絡カード１７を挿入する。【選択図】      図６
0003117490.tif 000002
【実用新案登録請求の範囲】
【請求項１】
細長い矩形状に折畳んだタオル層（１１）上に、一対の部分的または全体的に重ねた軍手（１３）を，タオル層（１１）の中央部に重ね，前記タオル層（１１），軍手層（１３）により矩形ブロック（１０ａ）を形成し、前記矩形ブロック（１０ａ）の両端を軍手層（１３）側に折曲げ且つ仮想中立面（Ｓ）を挟んで該両端を突き合わせた直方体ブロック（１０ｂ）を形成し、前記直方体ブロック（１０ｂ）の短辺両端を前記仮想中立面（Ｓ）に向かって変位した立体ブロック（１０ｃ）を形成し、前記立体ブロック（１０ｃ）を圧縮固化した固化ブロック（１０ｄ）を形成し、前記固化ブロック（１０ｄ）を合成樹脂製の透明シート袋（１５）に装入配置すると共に，該透明シート袋（１５）の前面に設けた透明ポケット（１６）に，氏名・住所・連絡先を含む重要事項を記載した緊急用連絡カード（１７）を装入配置してなる非常用圧縮セット。
【請求項２】
細長い矩形状に折畳んだタオル層（１１）上に、該タオル層（１１）と略同寸法に折畳んだ布層（１２）を重ね、一対の部分的または全体的に重ねた軍手（１３）を，前記布層（１２）の中央部に重ね，前記タオル層（１１），布層（１２），軍手層（１３）により矩形ブロック（１０ａ）を形成し、前記矩形ブロック（１０ａ）の両端を軍手層（１３）側に折曲げ且つ仮想中立面（Ｓ）を挟んで該両端を突き合わせた直方体ブロック（１０ｂ）を形成し、前記直方体ブロック（１０ｂ）の短辺両端を前記仮想中立面（Ｓ）に向かって変位した立体ブロック（１０ｃ）を形成し、前記立体ブロック（１０ｃ）を圧縮固化した固化ブロック（１０ｄ）を形成し、前記固化ブロック（１０ｄ）を合成樹脂製の透明シート袋（１５）に装入配置すると共に，該透明シート袋（１５）の前面に設けた透明ポケット（１６）に，氏名・住所・連絡先を含む重要事項を記載した緊急用連絡カード（１７）を装入配置してなる非常用圧縮セット。
【請求項３】
細長い矩形状に折畳んだタオル層（１１）上に、一対の部分的または全体的に重ねた軍手（１３）を，タオル層（１１）の中央部に重ね，前記タオル層（１１），軍手層（１３）により矩形ブロック（１０ａ）を形成し、前記矩形ブロック（１０ａ）の両端を軍手層（１３）側に折曲げ且つ仮想中立面（Ｓ）を挟んで該両端を突き合わせた直方体ブロック（１０ｂ）を形成し、前記直方体ブロック（１０ｂ）の短辺両端を前記仮想中立面（Ｓ）に向かって変位した立体ブロック（１０ｃ）を形成し、前記立体ブロック（１０ｃ）を圧縮固化した固化ブロック（１０ｄ）を形成し、前記固化ブロック（１０ｄ）の幅広面に略同一寸法に折り重ねた巾着袋（１４）を配置して圧縮セット本体（１０ｅ）を形成し、前記圧縮セット本体（１０ｅ）を合成樹脂製の透明シート袋（１５）に装入配置すると共に，該透明シート袋（１５）の前面に設けた透明ポケット（１６）に，氏名・住所・連絡先を含む重要事項を記載した緊急用連絡カード（１７）を装入配置してなる非常用圧縮セット。
【請求項４】
細長い矩形状に折畳んだタオル層（１１）上に、該タオル（１１）と同寸法に折畳んだ布層（１２）を重ね、一対の部分的または全体的に重ねた軍手（１３）を，前記布層（１２）の中央部に重ね，前記タオル層（１１），布層（１２），軍手層（１３）により矩形ブロック（１０ａ）を形成し、前記矩形ブロック（１０ａ）の両端を軍手層（１３）側に折曲げ且つ仮想中立面（Ｓ）を挟んで該両端を突き合わせた直方体ブロック（１０ｂ）を形成し、前記直方体ブロック（１０ｂ）の短辺両端を前記仮想中立面（Ｓ）に向かって変位した立体ブロック（１０ｃ）を形成し、前記立体ブロック（１０ｃ）を圧縮固化した固化ブロック（１０ｄ）を形成し、前記固化ブロック（１０ｄ）の幅広面に略同一寸法に折り重ねた巾着袋（１４）を配置して圧縮セット本体（１０ｅ）を形成し、前記圧縮セット本体（１０ｅ）を合成樹脂製の透明シート袋（１５）に装入配置すると共に，該透明シート袋（１５）の前面に設けた透明ポケット（１６）に，氏名・住所・連絡先を含む重要事項を記載した緊急用連絡カード（１７）を装入配置してなる非常用圧縮セット。
【請求項５】
布層（１２）の布を、細長い矩形状に折畳んだ晒（１２ｂ）で形成してなる請求項２又は４に記載の非常用圧縮セット。
【請求項６】
布層（１２）を、細長い矩形状に折畳んだ三角巾（１２ｃ）で形成してなる請求項１に記載の非常用圧縮セット。
【請求項７】
巾着袋（１４）を非透水性材料で構成してなる請求項３又は４に記載の非常用圧縮セット。
【考案の詳細な説明】
【技術分野】
【０００１】
本考案は、通常は圧縮状態で保存され、震災や台風等の災害に見舞われた際の避難所において圧縮状態を解除して使用することのできるタオルや軍手などの非常用圧縮セットに関するものである。
【背景技術】
【０００２】
震災や台風等の災害に見舞われた場合、学校の体育館などの避難所に緊急避難することがある。その場合、迅速な行動が要求されるため、避難所における日常生活に必要な物を全て持ち出すことは困難である。
【０００３】
また、例えば、特に、一人暮らしの老人などは家族や親戚などに連絡を必要とするが、その際、連絡先の電話番号などの重要事項を記したものを持ち出すことも困難である。さらには、避難場所がどこであるかを知らない場合もある。また、本人が災害によって重傷を負った場合に、当該本人の氏名や住所あるいは血液型などを周囲に知らせる必要がある。
【０００４】
本考案はこうした問題に鑑み創案されたもので、通常は圧縮状態で保存され、震災や台風等の災害に見舞われた際の避難所において圧縮状態を解除して使用することのできるタオルや軍手などで構成され、かつ、緊急時の連絡先や避難場所などの重要事項を記載したシートを備えた非常用圧縮セットを提供することを課題とする。
【考案の開示】
【課題を解決するための手段】
【０００５】
図１１，図２，図４，図６，図９，図１０を参照して請求項１の考案を説明する。請求項１に記載の非常用圧縮セット１０は、細長い矩形状に折畳んだタオル層１１上に、一対の部分的または全体的に重ねた軍手１３を、前記タオル層１１の中央部に重ね，前記タオル層１１，軍手層１３により矩形ブロック１０ａを形成する。
【０００６】
また、前記矩形ブロック１０ａの両端を軍手層１３側に折曲げ且つ仮想中立面Ｓを挟んで該両端を突き合わせた直方体ブロック１０ｂを形成し、該直方体ブロック１０ｂの短辺両端を前記仮想中立面Ｓに向かって変位した立体ブロック１０ｃを形成し、前記立体ブロック１０ｃを圧縮固化した固化ブロック１０ｄを形成し、固化ブロック１０ｄを合成樹脂製の透明シート袋１５に装入配置すると共に、当該透明シート袋１５の前面に設けた透明ポケット１６に、氏名・住所・連絡先などを含み重要事項を記載した緊急用連絡カード１７を装入配置してなるものである。
【０００７】
図１〜図４，図６，図９，図１０を参考にして請求項２の考案を説明する。請求項２に記載の非常用圧縮セット１０は、細長い矩形状に折畳んだタオル層１１上に、当該タオル層１１と略同寸法に折畳んだ布層１２を重ね、一対の部分的または全体的に重ねた軍手１３を，前記布層１２の中央部に重ね、前記タオル層１１、布層１２、軍手層１３により矩形ブロック１０ａを形成する。
【０００８】
また、矩形ブロック１０ａの両端を軍手層１３側に折曲げ且つ仮想中立面Ｓを挟んで該両端を突き合わせた直方体ブロック１０ｂを形成し、前記直方体ブロック１０ｂの短辺両端を前記仮想中立面Ｓに向かって変位した立体ブロック１０ｃを形成し、前記立体ブロック１０ｃを圧縮固化した固化ブロック１０ｄを形成する。
【０００９】
さらに、前記固化ブロック１０ｄを合成樹脂製の透明シート袋１５に装入配置すると共に、当該透明シート袋１５の前面に設けた透明ポケット１６に、氏名・住所・連絡先を含む重要事項を記載した緊急用連絡カード１７を装入配置してなる。
【００１０】
図１１，図２〜図７，図９，図１０を参考にして請求項３の考案を説明する。請求項３に記載の非常用圧縮セット１０は、細長い矩形状に折畳んだタオル層１１上に、一対の部分的または全体的に重ねた軍手１３を、前記タオル層１１の中央部に重ね、前記タオル層１１、軍手層１３により矩形ブロック１０ａを形成する。
【００１１】
また、前記矩形ブロック１０ａの両端を軍手層１３側に折曲げ且つ仮想中立面Ｓを挟んで該両端を突き合わせた直方体ブロック１０ｂを形成し、前記直方体ブロック１０ｂの短辺両端を前記仮想中立面Ｓに向かって変位した立体ブロック１０ｃを形成し、前記立体ブロック１０ｃを圧縮固化した固化ブロック１０ｄを形成する。
【００１２】
さらに、前記固化ブロック１０ｄの幅広面に略同一寸法に折り重ねた巾着袋１４を配置して圧縮セット本体１０ｅを形成し、前記圧縮セット本体１０ｅを合成樹脂製の透明シート袋１５に装入配置すると共に、当該透明シート袋１５の前面に設けた透明ポケット１６に、氏名・住所・連絡先を含む重要事項を記載した緊急用連絡カード１７を装入配置してなるものである。
【００１３】
図１〜図７，図９，図１０を参考にして請求項４の考案を説明する。請求項４に記載の非常用圧縮セット１０は、細長い矩形状に折畳んだタオル層１１上に、該タオル１１と同寸法に折畳んだ布層１２を重ね、一対の部分的または全体的に重ねた軍手１３を、前記布層１２の中央部に重ね、前記タオル層１１、布層１２、軍手層１３により矩形ブロック１０ａを形成する。
【００１４】
また、前記矩形ブロック１０ａの両端を軍手層１３側に折曲げ且つ仮想中立面Ｓを挟んで該両端を突き合わせた直方体ブロック１０ｂを形成し、前記直方体ブロック１０ｂの短辺両端を前記仮想中立面Ｓに向かって変位した立体ブロック１０ｃを形成し、前記立体ブロック１０ｃを圧縮固化した固化ブロック１０ｄを形成する。
【００１５】
さらに、前記固化ブロック１０ｄの幅広面に略同一寸法に折り重ねた巾着袋１４を配置して圧縮セット本体１０ｅを形成し、前記圧縮セット本体１０ｅを合成樹脂製の透明シート袋１５に装入配置すると共に、当該透明シート袋１５の前面に設けた透明ポケット１６に、氏名・住所・連絡先を含む重要事項を記載した緊急用連絡カード１７を装入配置してなるものである。
【００１６】
図１〜図１１を参考にして請求項５の考案を説明する。請求項５に記載の非常用圧縮セット１０は、請求項２又は４に記載の考案において、布層１２の布を、細長い矩形状に折畳んだ晒し１２ｂで形成してなるものである。
【００１７】
図１〜図１１を参考にして請求項６の考案を説明する。請求項６に記載の非常用圧縮セット１０は、請求項１に記載の考案において、布層１２を、細長い矩形状に折畳んだ三角巾１２ｃで形成してなるものである。
【００１８】
図１〜図１１を参考にして請求項７の考案を説明する。請求項７に記載の非常用圧縮セット１０は、請求項３又は４に記載の考案において、巾着袋１４を非透水性材料で構成してなるものである。
【考案の効果】
【００１９】
請求項１に記載の非常用圧縮セット１０は、タオルおよび軍手を圧縮固化して小型化し、合成樹脂製の透明シート袋１５に装入しているので、震災時に容易に持ち出すことができる。この際、これら圧縮固化されたタオルなどは、合成樹脂製の透明シート１５で覆われているので、雨などによって濡れることがない。
【００２０】
また、学校の体育館などの避難所では、当該非常用圧縮セット１０を手で容易に解いて、タオル、軍手を即座に使用することができる。
【００２１】
さらに、透明シート袋１５の前面に設けた透明ポケット１６には、氏名・住所・連絡先を含む重要事項を記載した緊急用連絡カード１７を挿入配置しているので、当該シート１７に記載してある情報をもとに親戚などに連絡取るなどの行動を迅速に起こすことができる。
【００２２】
なお、この透明シート袋１５および透明ポケット１６は、透明であるため、収納物を容易に確認することができる。特に、緊急用連絡カード１７は、透明ポケット１６から取り出すことなく記載事項を確認することができるので、紛失の危険性を回避することができる。
【００２３】
請求項２に記載の非常用圧縮セット１０は、タオル，布および軍手を圧縮固化して小型化し、さらに、巾着袋１４と共に合成樹脂製の透明シート袋１５に装入しているので、震災時に容易に持ち出すことができる。この際、これら圧縮固化された布などは、合成樹脂製の透明シート１５で覆われているので、雨などによって濡れることがない。
【００２４】
また学校の体育館などの避難所では、当該非常用圧縮セット１０を手で容易に解いて、布、タオル、及び軍手を即座に使用することができる。
【００２５】
さらに、透明シート１５の前面に設けた透明ポケット１６には、氏名・住所・連絡先などの重要事項を記載した緊急用連絡カード１７を装入配置しているので、当該カード１７に記載してある情報をもとに親戚などに連絡を取るなどの行動を迅速起こすことができる。
【００２６】
なお、この透明シート袋１５及び透明ポケット１６は、透明であるため、収納物を容易に確認することができる。特に、緊急用連絡カード１７は、透明ポケット１６から取り出すことなく記載事項を確認することができるので、紛失の危険性を回避することができる。
【００２７】
請求項３に記載の非常用圧縮セット１０は、タオルおよび軍手を圧縮固化して小型化し、さらに、巾着袋１４と共に合成樹脂製の透明シート袋１５に装入しているので、震災時に容易に持ち出すことができる。この際、これら圧縮固化されたタオルなどは、合成樹脂製の透明シート１５で覆われているので、雨などによって濡れることがない。
【００２８】
また学校の体育館などの避難所では、当該非常用圧縮セット１０を手で容易に解いて、タオル、軍手及び巾着袋１４を即座に使用することができる。
【００２９】
さらに、透明シート１５の前面に設けた透明ポケット１６には、連絡先などの重要事項を記載した緊急用連絡カード１７を装入配置しているので、当該カード１７に記載してある情報をもとに親戚などに連絡を取るなどの行動を迅速起こすことができる。
【００３０】
なお、この透明シート袋１５の前面に設けた透明ポケット１６は、透明であるため、収納物を容易に確認することができる。特に、緊急用連絡カード１７は、透明ポケット１６から取り出すことなく記載事項を確認することができるので、紛失の危険性を回避することができる。
【００３１】
請求項４に記載の非常用圧縮セット１０は、タオル、布および軍手を圧縮固化して小型化し、さらに、巾着袋１４と共に合成樹脂製の透明シート袋１５に装入しているので、震災時に容易に持ち出すことができる。この際、これら圧縮固化された布などは、合成樹脂製の透明シート１５で覆われているので、雨などによって濡れることがない。
【００３２】
また、学校の体育館などの避難所では、当該非常用圧縮セット１０を手で容易に解いて、タオル、布、軍手及び巾着袋１４を即座に使用することができる。
【００３３】
さらに、透明シート１５の前面に設けた透明ポケット１６には、連絡先などの重要事項を記載した緊急用連絡カード１７を装入配置しているので、当該カード１７に記載してある情報をもとに親戚などに連絡を取るなどの行動を迅速起こすことができる。
【００３４】
なお、この透明シート袋１５の前面に設けた透明ポケット１６は、透明であるため、収納物を容易に確認することができる。特に、緊急用連絡カード１７は、透明ポケット１６から取り出すことなく記載事項を確認することができるので、紛失の危険性を回避することができる。
【００３５】
請求項５に記載の非常用圧縮セット１０は、請求項２〜４のいずれかに記載の考案と同様に、緊急時に容易に持ち出すことができると共に、避難所などで解いて容易に使用することができる。また、緊急用連絡カード１７を確認することによって、必要な情報を得ることができる。
【００３６】
さらに、この圧縮セット１０は晒し１２ａを備えているので、その優れた吸湿性および通気性から、手拭いや包帯などとして即座に便利かつ多様に使用することができる。
【００３７】
請求項６に記載の非常用圧縮セット１０も、請求項２〜４のいずれかに記載の考案と同様に、緊急時に容易に持ち出すことができ、かつ、避難所などで解いて容易に使用することができる。また、緊急用連絡カード１７を確認することで、必要な情報を得ることができる。
【００３８】
さらに、この圧縮セット１０は三角巾Ｂを備えているので、緊急処置が必要な際に、包帯などとして便利に使用することができる。
【００３９】
請求項７に記載の非常用圧縮セット１０は、請求項３又は４に記載の効果に加えて、巾着袋を非透水性にしたので、濡れたタオルや湿ったタオル或いは濡れた布等を収納することが出来る。
【考案を実施するための最良の形態】
【００４０】
本考案に係る非常用圧縮セット１０の実施形態を、図１乃至図７および図９、図１０に示す。これは、通常時は圧縮固化状態で保存され、震災などの災害時は圧縮固化状態を解いて使用するものであり、タオル層１１を形成するタオル、布層１２を形成する晒し１２ａ、三角布１２ｂ等布、軍手層１３を形成する軍手、巾着袋１４、合成樹脂製の透明シート袋１５および緊急用連絡カード１７からなる。
【００４１】
この非常用圧縮セット１０は、矩形ブロック１０ａ、直方体ブロック１０ｂ、立体ブロック１０ｃ、固化ブロック１０ｄ、圧縮セット本体１０ｅの状態を経て圧縮固化される。
【００４２】
矩形ブロック１０ａは、細長い矩形状に折畳んだタオル層１１上に、そのタオル層１１とほぼ同寸法に折畳んだ布層１２を重ね、一対の部分的に重ねた軍手１３を、布層１２の中央部に重ねて、当該タオル層１１、布層１２、軍手層１３によって形成される（図１参照）。
【００４３】
直方体ブロック１０ｂは、矩形ブロック１０ａの両端を軍手層１３側に折曲げ、仮想中立面Ｓを挟んでその両端を突き合わせて形成される（図２）。立体ブロック１０ｃは、直方体ブロック１０ｂの短辺両端を仮想中立面Ｓに向かって変位させて形成される（図３）。固化ブロック１０ｄは、立体ブロック１０ｃをプレス機によって圧縮固化して形成される（図４）。また、圧縮セット本体１０ｅは、固化ブロック１０ｄの幅広面に、ほぼ同一寸法に折り重ねた巾着袋１４を配置して形成される（図５）。
【００４４】
そして、圧縮セット本体１０ｅを合成樹脂製の透明シート袋１５に挿入すると共に、当該透明シート袋１５の前面に設けた透明ポケット１６に、氏名・住所・連絡先を含む重要事項を記載した緊急用連絡カード１７を挿入配置して、非常用圧縮セット１０が形成される（図６）。
【００４５】
こうして形成されている本実施形態に係る非常用圧縮セット１０は、布１２、タオル１１および軍手１３を圧縮固化して小型化し、さらに、巾着袋１４（図７参照）と共に透明シート袋１５に挿入しているので、震災時に容易に持ち出すことができる。この際、これら圧縮固化されたタオル１１などは、合成樹脂製の透明シート袋１５によって包装されているので防水性に富み、雨水などによって濡れてしまうことがない。
【００４６】
また、避難所などでは、当該非常用圧縮セット１０を手で容易に解いて、布１２、タオル１１、軍手１３および巾着袋１４を即座に使用することができる。
【００４７】
さらに、透明シート袋１５の前面に設けた透明ポケット１６には、連絡先などの重要事項を記載した緊急用連絡カード１７を挿入配置しているので、例えば、当該カード１７に記載してある親戚の連絡先などをもとに安否を伝えることができる。なお、本実施形態における連絡カード１７の表面には、図９に示すように、「家族・親戚の連絡先」、「緊急避難場所」、「緊急連絡先」、「災害用伝言ダイヤル  １１７」が記載されている。また、裏面には、図１０に示すように、本人の「氏名」、「住所」、「電話番号」、「勤務先」、血液型」、「病気・アレルギー」が記載される。透明シート袋１５は開閉自在の蓋部１５ａを有する。緊急連絡カード１７としては名刺も使用できる。
【００４８】
なお、透明シート袋１５および透明ポケット１６は、透明であるため、収納物を容易に確認することができる。特に、緊急用連絡カード１７は、透明ポケット１６の上から視認することができるので、当該透明ポケット１６から取り出すことなく記載事項を確認することができる。従って、きわめて便利であり、連絡カード１７を紛失する危険性も少ない。
【００４９】
なお、上記実施形態において、布１２を、図８に示すような晒し１２ａや三角布１２ｂとすることができる。晒し１２ａは、吸湿性や通気性に優れるので、手拭いや包帯などとして多様に使用することができる。また、三角布１２ｂは、特に、緊急処置における包帯などとして有効である。
【図面の簡単な説明】
【００５０】
【図１】本考案の実施形態における矩形ブロックを示すもので、（ａ）は側面図、（ｂ）は平面図である。
【図２】本考案の実施形態における直方体ブロックを示すもので、（ａ）は側面図、（ｂ）は平面図である。
【図３】本考案の実施形態における立体ブロックを示すもので、（ａ）は側面図、（ｂ）は平面図である。
【図４】本考案の実施形態における固化ブロックを示すもので、（ａ）は側面図、（ｂ）は平面図である。
【図５】本考案の実施形態における圧縮セット本体を示すもので、（ａ）は側面図、（ｂ）は平面図である。
【図６】本考案の実施形態に係る非常用圧縮セットを示すもので、（ａ）は側面図、（ｂ）は平面図、（ｃ）は正面図である。
【図７】本考案の実施形態における折畳んでいない状態の巾着袋を示す平面図である。
【図８】本考案の他の実施形態において使用するもので、（ａ）は晒しを示し、（ｂ）は三角布を示す。
【図９】本考案における緊急用連絡カードの表面を示す平面図である。
【図１０】本考案における緊急用連絡カードの裏面を示す平面図である。
【図１１】本考案の変形実施形態における矩形ブロックを原理的に示すもので、（ａ）は側面図、（ｂ）は平面図である。
【符号の説明】
【００５１】
１０      非常用圧縮セット
１０ａ    矩形ブロック
１０ｂ    直方体ブロック
１０ｃ    立体ブロック
１０ｄ    固化ブロック
１０ｅ    圧縮セット本体
１１      タオル
１２      布
１２ａ    晒し
１２ｂ    三角布
１３      軍手
１４      巾着袋
１５      透明シート袋
１５ａ    蓋部
１６      透明ポケット
１７      緊急用連絡カード
Ｓ        仮想中立面
【図１】
0003117490.tif 000003
【図２】
0003117490.tif 000004
【図３】
0003117490.tif 000005
【図４】
0003117490.tif 000006
【図５】
0003117490.tif 000007
【図６】
0003117490.tif 000008
【図７】
0003117490.tif 000009
【図８】
0003117490.tif 000010
【図９】
0003117490.tif 000011
【図１０】
0003117490.tif 000012
【図１１】
0003117490.tif 000013